【手続補正書】
【提出日】平成19年8月10日(2007.8.10)
【手続補正１】
【補正対象書類名】特許請求の範囲
【補正対象項目名】全文
【補正方法】変更
【補正の内容】
【特許請求の範囲】
【請求項１】
画像データを符号化する符号化装置において、
入力される画像データ中の第１のフレームをブロック化するブロック化手段と、
前記ブロック化手段によりブロック化された第１のフレームの第１のブロックの画素値のダイナミックレンジを検出するダイナミックレンジ検出手段と、
前記画像データ中の第２のフレームから、前記ダイナミックレンジ検出手段により検出されたダイナミックレンジに最も近いダイナミックレンジを有する第２のブロックを検出することにより、前記第１のブロックの動きベクトルを推定する動き推定手段と、
前記動き推定手段により推定された前記動きベクトルを用いて、前記第１のブロックを符号化する符号化手段と
を備えることを特徴とする符号化装置。
【請求項２】
前記画像データにノイズを付加し、前記ノイズが付加された前記画像データを出力するノイズ付加手段をさらに備え、
前記ブロック化手段は、前記ノイズ付加手段により前記ノイズが付加された前記画像データの第１のフレームをブロック化する
ことを特徴とする請求項１に記載の符号化装置。
【請求項３】
前記動き推定手段により推定された前記動きベクトルを用いて、前記第１ブロックに対応する前記第２のフレームの画像データと、前記第１のブロックにおける画像データとの差分を算出する差分算出手段をさらに備え、
前記符号化手段は、前記差分算出手段により算出された前記差分を符号化することにより、前記第１のブロックを符号化する
ことを特徴とする請求項１に記載の符号化装置。
【請求項４】
前記符号化手段は、JPEG（Joint Photographic Coding Experts Group）方式で符号化する
ことを特徴とする請求項３に記載の符号化装置。
【請求項５】
前記動き推定手段により推定された前記動きベクトル、および前記符号化手段により符号化された前記第１のブロックを、符号化データとして後段に出力するデータ出力手段を
さらに備えることを特徴とする請求項１に記載の符号化装置。
【請求項６】
画像データを符号化する符号化装置の符号化方法において、
入力される画像データ中の第１のフレームをブロック化するブロック化ステップと、
前記ブロック化ステップの処理によりブロック化された第１のフレームの第１のブロックの画素値のダイナミックレンジを検出するダイナミックレンジ検出ステップと、
前記画像データ中の第２のフレームから、前記ダイナミックレンジ検出ステップの処理により検出されたダイナミックレンジに最も近いダイナミックレンジを有する第２のブロックを検出することにより、前記第１のブロックの動きベクトルを推定する動き推定ステップと、
前記動き推定ステップの処理により推定された前記動きベクトルを用いて、前記第１のブロックを符号化する符号化ステップと
を含むことを特徴とする符号化方法。
【請求項７】
画像データを符号化する処理をコンピュータに行わせるプログラムが記録される記録媒体であって、
入力される画像データ中の第１のフレームをブロック化するブロック化ステップと、
前記ブロック化ステップの処理によりブロック化された第１のフレームの第１のブロックの画素値のダイナミックレンジを検出するダイナミックレンジ検出ステップと、
前記画像データ中の第２のフレームから、前記ダイナミックレンジ検出ステップの処理により検出されたダイナミックレンジに最も近いダイナミックレンジを有する第２のブロックを検出することにより、前記第１のブロックの動きベクトルを推定する動き推定ステップと、
前記動き推定ステップの処理により推定された前記動きベクトルを用いて、前記第１のブロックを符号化する符号化ステップと
を含むことを特徴とするプログラムが記録される記録媒体。
【請求項８】
画像データを符号化する処理をコンピュータに行わせるプログラムであって、
入力される画像データ中の第１のフレームをブロック化するブロック化ステップと、
前記ブロック化ステップの処理によりブロック化された第１のフレームの第１のブロックの画素値のダイナミックレンジを検出するダイナミックレンジ検出ステップと、
前記画像データ中の第２のフレームから、前記ダイナミックレンジ検出ステップの処理により検出されたダイナミックレンジに最も近いダイナミックレンジを有する第２のブロックを検出することにより、前記第１のブロックの動きベクトルを推定する動き推定ステップと、
前記動き推定ステップの処理により推定された前記動きベクトルを用いて、前記第１のブロックを符号化する符号化ステップと
を含むことを特徴とするプログラム。
【請求項９】
画像データを符号化する符号化装置において、
入力される画像データ中の第１のフレームをブロック化するブロック化手段と、
前記ブロック化手段によりブロック化された第１のフレームの第１のブロックの画素値のダイナミックレンジを検出するダイナミックレンジ検出手段と、
前記画像データ中の第２のフレームから、前記ダイナミックレンジ検出手段により検出されたダイナミックレンジに最も近いダイナミックレンジを有する第２のブロックを検出し、前記第１のブロックの周波数成分と前記第２のブロックの周波数成分を比較することにより、前記第１のブロックの動きベクトルを推定する動き推定手段と、
前記動き推定手段により推定された前記動きベクトルを用いて、前記第１のブロックを符号化する符号化手段と
を備えることを特徴とする符号化装置。
【請求項１０】
前記画像データにノイズを付加し、前記ノイズが付加された前記画像データを出力するノイズ付加手段をさらに備え、
前記ブロック化手段は、前記ノイズ付加手段により前記ノイズが付加された前記画像データの第１のフレームをブロック化する
ことを特徴とする請求項９に記載の符号化装置。
【請求項１１】
前記動き推定手段は、前記第１のブロックの周波数成分と前記第２のブロックの周波数成分の相関値が最大である前記第２のブロックに基づいて、前記第１のブロックの動きベクトルを推定する
ことを特徴とする請求項９に記載の符号化装置。
【請求項１２】
前記動き推定手段により推定された前記動きベクトルを用いて、前記第１ブロックに対応する前記第２のフレームの画像データと、前記第１のブロックにおける画像データとの差分を算出する差分算出手段をさらに備え、
前記符号化手段は、前記差分算出手段により算出された前記差分を符号化することにより、前記第１のブロックを符号化する
ことを特徴とする請求項９に記載の符号化装置。
【請求項１３】
前記符号化手段は、JPEG（Joint Photographic Coding Experts Group）方式で符号化する
ことを特徴とする請求項１２に記載の符号化装置。
【請求項１４】
前記動き推定手段により推定された前記動きベクトル、および前記符号化手段により符号化された前記第１のブロックを、符号化データとして後段に出力するデータ出力手段を
さらに備えることを特徴とする請求項９に記載の符号化装置。
【請求項１５】
画像データを符号化する符号化装置の符号化方法において、
入力される画像データ中の第１のフレームをブロック化するブロック化ステップと、
前記ブロック化ステップの処理によりブロック化された第１のフレームの第１のブロックの画素値のダイナミックレンジを検出するダイナミックレンジ検出ステップと、
前記画像データ中の第２のフレームから、前記ダイナミックレンジ検出ステップの処理により検出されたダイナミックレンジに最も近いダイナミックレンジを有する第２のブロックを検出し、前記第１のブロックの周波数成分と前記第２のブロックの周波数成分を比較することにより、前記第１のブロックの動きベクトルを推定する動き推定ステップと、
前記動き推定ステップの処理により推定された前記動きベクトルを用いて、前記第１のブロックを符号化する符号化ステップと
を含むことを特徴とする符号化方法。
【請求項１６】
画像データを符号化する処理をコンピュータに行わせるプログラムが記録される記録媒体であって、
入力される画像データ中の第１のフレームをブロック化するブロック化ステップと、
前記ブロック化ステップの処理によりブロック化された第１のフレームの第１のブロックの画素値のダイナミックレンジを検出するダイナミックレンジ検出ステップと、
前記画像データ中の第２のフレームから、前記ダイナミックレンジ検出ステップの処理により検出されたダイナミックレンジに最も近いダイナミックレンジを有する第２のブロックを検出し、前記第１のブロックの周波数成分と前記第２のブロックの周波数成分を比較することにより、前記第１のブロックの動きベクトルを推定する動き推定ステップと、
前記動き推定ステップの処理により推定された前記動きベクトルを用いて、前記第１のブロックを符号化する符号化ステップと
を含むことを特徴とするプログラムが記録される記録媒体。
【請求項１７】
画像データを符号化する処理をコンピュータに行わせるプログラムであって、
入力される画像データ中の第１のフレームをブロック化するブロック化ステップと、
前記ブロック化ステップの処理によりブロック化された第１のフレームの第１のブロックの画素値のダイナミックレンジを検出するダイナミックレンジ検出ステップと、
前記画像データ中の第２のフレームから、前記ダイナミックレンジ検出ステップの処理により検出されたダイナミックレンジに最も近いダイナミックレンジを有する第２のブロックを検出し、前記第１のブロックの周波数成分と前記第２のブロックの周波数成分を比較することにより、前記第１のブロックの動きベクトルを推定する動き推定ステップと、
前記動き推定ステップの処理により推定された前記動きベクトルを用いて、前記第１のブロックを符号化する符号化ステップと
を含むことを特徴とするプログラム。
【請求項１８】
画像データを復号する復号装置において、
画像データ中の第１のフレームの第１のブロックのダイナミックレンジに最も近いダイナミックレンジを有する第２のフレームの第２のブロックを検出することにより、前記第１のブロックの動きとして推定された動きベクトルと、前記動きベクトルを用いて得られた前記第１フレームおよび前記第２フレーム間の差分値が符号化された符号化データとを入力するデータ入力手段と、
前記データ入力手段により入力された前記符号化データを復号することにより前記差分値を抽出する差分値抽出手段と、
前記データ入力手段により入力された前記動きベクトルに応じて、前記第２のフレームの画像データに、前記差分値抽出手段により抽出された前記差分値を加算することで、前記第１のフレームの画像データを生成するデータ加算手段と
を備えることを特徴とする復号装置。
【請求項１９】
前記データ加算手段により生成された前記画像データにノイズを付加し、前記ノイズが付加された画像データを後段に出力するノイズ付加手段を
さらに備えることを特徴とする請求項１８に記載の復号装置。
【請求項２０】
前記データ入力手段により入力された前記動きベクトルに応じて、前記第２のフレームの画像データから、予測ブロックの画像データを予測する動き補償手段をさらに備え、
前記データ加算手段は、前記動き補償手段により予測された予測ブロックの画像データに、前記差分値抽出手段により抽出された前記差分値を加算することで、前記第１のフレームの画像データを生成する
ことを特徴とする請求項１８に記載の復号装置。
【請求項２１】
画像データを復号する復号装置の復号方法において、
画像データ中の第１のフレームの第１のブロックのダイナミックレンジに最も近いダイナミックレンジを有する第２のフレームの第２のブロックを検出することにより、前記第１のブロックの動きとして推定された動きベクトルと、前記動きベクトルを用いて得られた前記第１フレームおよび前記第２フレーム間の差分値が符号化された符号化データとを入力するデータ入力ステップと、
前記データ入力ステップの処理により入力された前記符号化データを復号することにより前記差分値を抽出する差分値抽出ステップと、
前記データ入力ステップの処理により入力された前記動きベクトルに応じて、前記第２のフレームの画像データに、前記差分値抽出ステップの処理により抽出された前記差分値を加算することで、前記第１のフレームの画像データを生成するデータ加算ステップと
を含むことを特徴とする復号方法。
【請求項２２】
画像データを復号する処理をコンピュータに行わせるプログラムが記録される記録媒体であって、
画像データ中の第１のフレームの第１のブロックのダイナミックレンジに最も近いダイナミックレンジを有する第２のフレームの第２のブロックを検出することにより、前記第１のブロックの動きとして推定された動きベクトルと、前記動きベクトルを用いて得られた前記第１フレームおよび前記第２フレーム間の差分値が符号化された符号化データとを入力するデータ入力ステップと、
前記データ入力ステップの処理により入力された前記符号化データを復号することにより前記差分値を抽出する差分値抽出ステップと、
前記データ入力ステップの処理により入力された前記動きベクトルに応じて、前記第２のフレームの画像データに、前記差分値抽出ステップの処理により抽出された前記差分値を加算することで、前記第１のフレームの画像データを生成するデータ加算ステップと
を含むことを特徴とするプログラムが記録される記録媒体。
【請求項２３】
画像データを復号する処理をコンピュータに行わせるプログラムであって、
画像データ中の第１のフレームの第１のブロックのダイナミックレンジに最も近いダイナミックレンジを有する第２のフレームの第２のブロックを検出することにより、前記第１のブロックの動きとして推定された動きベクトルと、前記動きベクトルを用いて得られた前記第１フレームおよび前記第２フレーム間の差分値が符号化された符号化データとを入力するデータ入力ステップと、
前記データ入力ステップの処理により入力された前記符号化データを復号することにより前記差分値を抽出する差分値抽出ステップと、
前記データ入力ステップの処理により入力された前記動きベクトルに応じて、前記第２のフレームの画像データに、前記差分値抽出ステップの処理により抽出された前記差分値を加算することで、前記第１のフレームの画像データを生成するデータ加算ステップと
を含むことを特徴とするプログラム。
【請求項２４】
符号化装置および復号装置からなり、画像データに対して符号化および復号を行う画像処理システムにおいて、
前記符号化装置は、
入力される画像データ中の第１のフレームをブロック化するブロック化手段と、
前記ブロック化手段によりブロック化された第１のフレームの第１のブロックの画素値のダイナミックレンジを検出するダイナミックレンジ検出手段と、
前記画像データ中の第２のフレームから、前記ダイナミックレンジ検出手段により検出されたダイナミックレンジに最も近いダイナミックレンジを有する第２のブロックを検出することにより、前記第１のブロックの動きベクトルを推定する動き推定手段と、
前記動き推定手段により推定された前記動きベクトルを用いて、前記第１のブロックを符号化する符号化手段と
を備えることを特徴とする画像処理システム。
【請求項２５】
符号化装置および復号装置からなり、画像データに対して符号化および復号を行う画像処理システムにおいて、
前記符号化装置は、
入力される画像データ中の第１のフレームをブロック化するブロック化手段と、
前記ブロック化手段によりブロック化された第１のフレームの第１のブロックの画素値のダイナミックレンジを検出するダイナミックレンジ検出手段と、
前記画像データ中の第２のフレームから、前記ダイナミックレンジ検出手段により検出されたダイナミックレンジに最も近いダイナミックレンジを有する第２のブロックを検出し、前記第１のブロックの周波数成分と前記第２のブロックの周波数成分を比較することにより、前記第１のブロックの動きベクトルを推定する動き推定手段と、
前記動き推定手段により推定された前記動きベクトルを用いて、前記第１のブロックを符号化する符号化手段と
を備えることを特徴とする画像処理システム。
【請求項２６】
符号化装置および復号装置からなり、画像データに対して符号化および復号を行う画像処理システムにおいて、
前記復号装置は、
画像データ中の第１のフレームの第１のブロックのダイナミックレンジに最も近いダイナミックレンジを有する第２のフレームの第２のブロックを検出することにより、前記第１のブロックの動きとして推定された動きベクトルと、前記動きベクトルを用いて得られた前記第１フレームおよび前記第２フレーム間の差分値が符号化された符号化データとを入力するデータ入力手段と、
前記データ入力手段により入力された前記符号化データを復号することにより前記差分値を抽出する差分値抽出手段と、
前記データ入力手段により入力された前記動きベクトルに応じて、前記第２のフレームの画像データに、前記差分値抽出手段により抽出された前記差分値を加算することで、前記第１のフレームの画像データを生成するデータ加算手段と
を備えることを特徴とする画像処理システム。
【手続補正２】
【補正対象書類名】明細書
【補正対象項目名】００１９
【補正方法】削除
【補正の内容】
【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００３２
【補正方法】削除
【補正の内容】
【手続補正７】
【補正対象書類名】明細書
【補正対象項目名】００３３
【補正方法】削除
【補正の内容】
【手続補正８】
【補正対象書類名】明細書
【補正対象項目名】００３４
【補正方法】削除
【補正の内容】
【手続補正９】
【補正対象書類名】明細書
【補正対象項目名】００３５
【補正方法】削除
【補正の内容】
【手続補正１０】
【補正対象書類名】明細書
【補正対象項目名】００３６
【補正方法】削除
【補正の内容】
【手続補正１１】
【補正対象書類名】明細書
【補正対象項目名】００４３
【補正方法】削除
【補正の内容】
【手続補正１２】
【補正対象書類名】明細書
【補正対象項目名】００４４
【補正方法】削除
【補正の内容】
【手続補正１３】
【補正対象書類名】明細書
【補正対象項目名】００４８
【補正方法】削除
【補正の内容】
【手続補正１４】
【補正対象書類名】明細書
【補正対象項目名】００４９
【補正方法】削除
【補正の内容】
【手続補正１５】
【補正対象書類名】明細書
【補正対象項目名】００５０
【補正方法】削除
【補正の内容】
【手続補正１６】
【補正対象書類名】明細書
【補正対象項目名】００５２
【補正方法】削除
【補正の内容】
【手続補正１７】
【補正対象書類名】明細書
【補正対象項目名】００５３
【補正方法】削除
【補正の内容】
【手続補正１８】
【補正対象書類名】明細書
【補正対象項目名】００５４
【補正方法】削除
【補正の内容】
【手続補正１９】
【補正対象書類名】明細書
【補正対象項目名】００５６
【補正方法】削除
【補正の内容】
【手続補正２０】
【補正対象書類名】明細書
【補正対象項目名】００５７
【補正方法】削除
【補正の内容】
【手続補正２１】
【補正対象書類名】明細書
【補正対象項目名】００５８
【補正方法】削除
【補正の内容】
【手続補正２２】
【補正対象書類名】明細書
【補正対象項目名】００７３
【補正方法】削除
【補正の内容】
【手続補正２３】
【補正対象書類名】明細書
【補正対象項目名】００７４
【補正方法】削除
【補正の内容】
【手続補正２４】
【補正対象書類名】明細書
【補正対象項目名】００７５
【補正方法】削除
【補正の内容】
【手続補正２５】
【補正対象書類名】明細書
【補正対象項目名】００７６
【補正方法】変更
【補正の内容】
【００７６】
なお、請求項７に記載の記録媒体および請求項８に記載のプログラムも、上述した請求項６に記載の符号化方法と基本的に同様の処理であるため、繰り返しになるのでその説明は省略する。
【手続補正２６】
【補正対象書類名】明細書
【補正対象項目名】００７７
【補正方法】変更
【補正の内容】
【００７７】
請求項９に記載の符号化装置（例えば、図２の符号化装置６３）は、入力される画像データ中の第１のフレームをブロック化するブロック化手段（例えば、図５のブロック化部１１１）と、ブロック化手段によりブロック化された第１のフレームの第１のブロックの画素値のダイナミックレンジを検出するダイナミックレンジ検出手段（例えば、図６のＤＲ算出部１４１）と、画像データ中の第２のフレームから、ダイナミックレンジ検出手段により検出されたダイナミックレンジに最も近いダイナミックレンジを有する第２のブロックを検出し、第１のブロックの周波数成分と第２のブロックの周波数成分を比較することにより、第１のブロックの動きベクトルを推定する動き推定手段（例えば、図６の動きベクトル算出部１４４）と、動き推定手段により推定された動きベクトルを用いて、第１のブロックを符号化する符号化手段（例えば、図５の残差符号化部１１６）とを備えることを特徴とする。
【手続補正２７】
【補正対象書類名】明細書
【補正対象項目名】００７８
【補正方法】変更
【補正の内容】
【００７８】
請求項１０に記載の符号化装置は、画像データにノイズを付加し、ノイズが付加された画像データを出力するノイズ付加手段（例えば、図２のＡ／Ｄ変換部８１）をさらに備え、ブロック化手段は、ノイズ付加手段によりノイズが付加された画像データの第１のフレームをブロック化することを特徴とする。
【手続補正２８】
【補正対象書類名】明細書
【補正対象項目名】００７９
【補正方法】変更
【補正の内容】
【００７９】
請求項１２に記載の符号化装置は、動き推定手段により推定された動きベクトルを用いて、第１ブロックに対応する第２のフレームの画像データと、第１のブロックにおける画像データとの差分を算出する差分算出手段（例えば、図５の残差算出部１１５）をさらに備え、符号化手段は、差分算出手段により算出された差分を符号化することにより、第１のブロックを符号化することを特徴とする。
【手続補正２９】
【補正対象書類名】明細書
【補正対象項目名】００８０
【補正方法】変更
【補正の内容】
【００８０】
請求項１４に記載の符号化装置は、動き推定手段により推定された動きベクトル、および符号化手段により符号化された第１のブロックを、符号化データとして後段に出力するデータ出力手段（例えば、図５のデータ合成部１１７）をさらに備えることを特徴とする。
【手続補正３０】
【補正対象書類名】明細書
【補正対象項目名】００８１
【補正方法】変更
【補正の内容】
【００８１】
請求項１５に記載の符号化方法は、入力される画像データ中の第１のフレームをブロック化するブロック化ステップ（例えば、図９のステップＳ２１）と、ブロック化ステップの処理によりブロック化された第１のフレームの第１のブロックの画素値のダイナミックレンジを検出するダイナミックレンジ検出ステップ（例えば、図１１のステップＳ６３）と、画像データ中の第２のフレームから、ダイナミックレンジ検出ステップの処理により検出されたダイナミックレンジに最も近いダイナミックレンジを有する第２のブロックを検出し、第１のブロックの周波数成分と第２のブロックの周波数成分を比較することにより、第１のブロックの動きベクトルを推定する動き推定ステップ（例えば、図１１のステップＳ６９）と、動き推定ステップの処理により推定された動きベクトルを用いて、第１のブロックを符号化する符号化ステップ（例えば、図９のステップＳ２４）とを含むことを特徴とする。
【手続補正３１】
【補正対象書類名】明細書
【補正対象項目名】００８２
【補正方法】削除
【補正の内容】
【手続補正３２】
【補正対象書類名】明細書
【補正対象項目名】００８３
【補正方法】削除
【補正の内容】
【手続補正３３】
【補正対象書類名】明細書
【補正対象項目名】００８４
【補正方法】削除
【補正の内容】
【手続補正３４】
【補正対象書類名】明細書
【補正対象項目名】００８５
【補正方法】変更
【補正の内容】
【００８５】
なお、請求項１６に記載の記録媒体および請求項１７に記載のプログラムも、上述した請求項１５に記載の符号化方法と基本的に同様の処理であるため、繰り返しになるのでその説明は省略する。
【手続補正３５】
【補正対象書類名】明細書
【補正対象項目名】００８６
【補正方法】変更
【補正の内容】
【００８６】
請求項１８に記載の復号装置（例えば、図２の符号化装置６３）は、画像データ中の第１のフレームの第１のブロックのダイナミックレンジに最も近いダイナミックレンジを有する第２のフレームの第２のブロックを検出することにより、第１のブロックの動きとして推定された動きベクトルと、動きベクトルを用いて得られた第１フレームおよび第２フレーム間の差分値が符号化された符号化データとを入力するデータ入力手段（例えば、図１５のデータ分解部２１１）と、データ入力手段により入力された符号化データを復号することにより差分値を抽出する差分値抽出手段（例えば、図１５の残差復号部２１２）と、データ入力手段により入力された動きベクトルに応じて、第２のフレームの画像データに、差分値抽出手段により抽出された差分値を加算することで、第１のフレームの画像データを生成するデータ加算手段（例えば、図１５の残差加算部２１５）とを備えることを特徴とする。
【手続補正３６】
【補正対象書類名】明細書
【補正対象項目名】００８７
【補正方法】変更
【補正の内容】
【００８７】
請求項１９に記載の復号装置は、データ加算手段により生成された画像データにノイズを付加し、ノイズが付加された画像データを後段に出力するノイズ付加手段（例えば、図２のＤ／Ａ変換部８５）をさらに備えることを特徴とする。
【手続補正３７】
【補正対象書類名】明細書
【補正対象項目名】００８８
【補正方法】変更
【補正の内容】
【００８８】
請求項２０に記載の復号装置は、データ入力手段により入力された動きベクトルに応じて、第２のフレームの画像データから、予測ブロックの画像データを予測する動き補償手段（例えば、図１５の動き補償部２１４）をさらに備え、データ加算手段は、動き補償手段により予測された予測ブロックの画像データに、差分値抽出手段により抽出された差分値を加算することで、第１のフレームの画像データを生成することを特徴とする。
【手続補正３８】
【補正対象書類名】明細書
【補正対象項目名】００８９
【補正方法】変更
【補正の内容】
【００８９】
請求項２１に記載の復号方法は、画像データ中の第１のフレームの第１のブロックのダイナミックレンジに最も近いダイナミックレンジを有する第２のフレームの第２のブロックを検出することにより、第１のブロックの動きとして推定された動きベクトルと、動きベクトルを用いて得られた第１フレームおよび第２フレーム間の差分値が符号化された符号化データとを入力するデータ入力ステップ（例えば、図１８のステップＳ２１１）と、データ入力ステップの処理により入力された符号化データを復号することにより差分値を抽出する差分値抽出ステップ（例えば、図１８のステップＳ２１２）と、データ入力ステップの処理により入力された動きベクトルに応じて、第２のフレームの画像データに、差分値抽出ステップの処理により抽出された差分値を加算することで、第１のフレームの画像データを生成するデータ加算ステップ（例えば、図１８のステップＳ２１４）とを含むことを特徴とする。
【手続補正３９】
【補正対象書類名】明細書
【補正対象項目名】００９０
【補正方法】削除
【補正の内容】
【手続補正４０】
【補正対象書類名】明細書
【補正対象項目名】００９１
【補正方法】削除
【補正の内容】
【手続補正４１】
【補正対象書類名】明細書
【補正対象項目名】００９２
【補正方法】変更
【補正の内容】
【００９２】
なお、請求項２２に記載の記録媒体および請求項２３に記載のプログラムも、上述した請求項２１に記載の符号化方法と基本的に同様の処理であるため、繰り返しになるのでその説明は省略する。
【手続補正４２】
【補正対象書類名】明細書
【補正対象項目名】００９３
【補正方法】変更
【補正の内容】
【００９３】
請求項２４に記載の画像処理システム（例えば、図２の画像処理システム５１）は、符号化装置（例えば、図２の符号化部８２）は、入力される画像データ中の第１のフレームをブロック化するブロック化手段（例えば、図５のブロック化部１１１）と、ブロック化手段によりブロック化された第１のフレームの第１のブロックの画素値のダイナミックレンジを検出するダイナミックレンジ検出手段（例えば、図６のＤＲ算出部１４１）と、画像データ中の第２のフレームから、ダイナミックレンジ検出手段により検出されたダイナミックレンジに最も近いダイナミックレンジを有する第２のブロックを検出することにより、第１のブロックの動きベクトルを推定する動き推定手段（例えば、図６の動きベクトル算出部１４４）と、動き推定手段により推定された動きベクトルを用いて、第１のブロックを符号化する符号化手段（例えば、図５の残差符号化部１１６）とを備えることを特徴とする。
【手続補正４３】
【補正対象書類名】明細書
【補正対象項目名】００９４
【補正方法】削除
【補正の内容】
【手続補正４４】
【補正対象書類名】明細書
【補正対象項目名】００９５
【補正方法】削除
【補正の内容】
【手続補正４５】
【補正対象書類名】明細書
【補正対象項目名】００９６
【補正方法】削除
【補正の内容】
【手続補正４６】
【補正対象書類名】明細書
【補正対象項目名】００９７
【補正方法】変更
【補正の内容】
【００９７】
請求項２５に記載の画像処理システム（例えば、図２の画像処理システム５１）は、符号化装置（例えば、図２の符号化部８２）は、入力される画像データ中の第１のフレームをブロック化するブロック化手段（例えば、図５のブロック化部１１１）と、ブロック化手段によりブロック化された第１のフレームの第１のブロックの画素値のダイナミックレンジを検出するダイナミックレンジ検出手段（例えば、図６のＤＲ算出部１４１）と、画像データ中の第２のフレームから、ダイナミックレンジ検出手段により検出されたダイナミックレンジに最も近いダイナミックレンジを有する第２のブロックを検出し、第１のブロックの周波数成分と第２のブロックの周波数成分を比較することにより、第１のブロックの動きベクトルを推定する動き推定手段（例えば、図６の動きベクトル算出部１４４）と、動き推定手段により推定された動きベクトルを用いて、第１のブロックを符号化する符号化手段（例えば、図５の残差符号化部１１６）とを備えることを特徴とする。
【手続補正４７】
【補正対象書類名】明細書
【補正対象項目名】００９８
【補正方法】削除
【補正の内容】
【手続補正４８】
【補正対象書類名】明細書
【補正対象項目名】００９９
【補正方法】削除
【補正の内容】
【手続補正４９】
【補正対象書類名】明細書
【補正対象項目名】０１００
【補正方法】削除
【補正の内容】
【手続補正５０】
【補正対象書類名】明細書
【補正対象項目名】０１０１
【補正方法】変更
【補正の内容】
【０１０１】
請求項２６に記載の画像処理システム（例えば、図２の画像処理システム５１）は、復号装置（例えば、図２の復号部８４）は、画像データ中の第１のフレームの第１のブロックのダイナミックレンジに最も近いダイナミックレンジを有する第２のフレームの第２のブロックを検出することにより、第１のブロックの動きとして推定された動きベクトルと、動きベクトルを用いて得られた第１フレームおよび第２フレーム間の差分値が符号化された符号化データとを入力するデータ入力手段（例えば、図１５のデータ分解部２１１）と、データ入力手段により入力された符号化データを復号することにより差分値を抽出する差分値抽出手段（例えば、図１５の残差復号部２１２）と、データ入力手段により入力された動きベクトルに応じて、第２のフレームの画像データに、差分値抽出手段により抽出された差分値を加算することで、第１のフレームの画像データを生成するデータ加算手段（例えば、図１５の残差加算部２１５）とを備えることを特徴とする。
【手続補正５１】
【補正対象書類名】明細書
【補正対象項目名】０１０２
【補正方法】削除
【補正の内容】
【手続補正５２】
【補正対象書類名】明細書
【補正対象項目名】０１０３
【補正方法】削除
【補正の内容】
【手続補正５３】
【補正対象書類名】明細書
【補正対象項目名】０１０４
【補正方法】削除
【補正の内容】